(57)【要約】【課題】  ランプが点灯中はスタートアップ回路への給電を停止することにより、消費電力を低減した点灯装置を提供することを目的とするものである。【解決手段】  ランプに給電する点灯回路と、点灯開始時に流れる突入電流から点灯回路及びランプを保護するためのスタートアップ回路と、スタートアップ回路に給電する制御電源と、点灯開始されると点灯回路の状態に基づいて、電源をスタートアップ回路を介さずバイパス回路に切換える点灯制御回路と、点灯制御回路が電源をスタートアップ回路を介さずバイパス回路に切換えると同時に、制御電源への給電を停止させる給電制御回路とを備えてなることを特徴とする。【選択図】図1
2015158996.tif 000002
【特許請求の範囲】
【請求項１】
ランプに給電する点灯回路と、
点灯開始を行うためのスタートアップ回路と、
前記スタートアップ回路に給電する制御電源と、
点灯開始されると点灯回路の状態に基づいて、電源を前記スタートアップ回路を介さずバイパス回路に切換える点灯制御回路と、
前記点灯制御回路が前記電源を前記スタートアップ回路を介さず前記バイパス回路に切換えると同時に、前記制御電源への給電を停止させる給電制御回路
とを備えてなることを特徴とするＬＥＤ照明装置の点灯装置。
【請求項２】
前記ランプを点灯中は、前記スタートアップ回路と前記バイパス回路のそれぞれの入力インピーダンスは高インピーダンス、低インピーダンスとなることを特徴とする請求項１に記載のＬＥＤ照明装置の点灯装置。
【請求項３】
前記ランプを消灯することにより前記スタートアップ回路と前記バイパス回路のそれぞれの入力インピーダンスは低インピーダンス、高インピーダンスとなることを特徴とする請求項１に記載のＬＥＤ照明装置の点灯装置。
【請求項４】
請求項１から３に記載のＬＥＤ照明装置の点灯装置を備えるＬＥＤ照明装置。
【発明の詳細な説明】
【技術分野】
【０００１】
本発明は、例えば商用交流電源を用いて発光ダイオード（以下、ＬＥＤ(Light Emitting Diode)と適宜、称する）を点灯させるＬＥＤ照明装置の点灯装置に関するものである。
【背景技術】
【０００２】
近年、蛍光ランプに代えて、低消費電力、高効率、長寿命が期待されるＬＥＤを照明器具として利用する技術が提案されている。
【０００３】
特許文献１には、コンデンサＣ１と直列にトランジスタＱ１を設け、そのオン抵抗を徐々に低下させることにより、突入電流を設ける技術が開示される。しかしながらトランジスタのオフ時の抵抗は無限大であるため、コンデンサの充電に長い時間がかかり、ＬＥＤが発光するまでの遅延が長くなるという問題がある。かかる問題は、ＬＥＤ以外の負荷を駆動する際にも生じうる。
【０００４】
また、従来の特許文献１に記載の技術を利用した場合、ＬＥＤが点灯中でも突入電流低減回路には電流が流れ続けるので消費電力が高くなる。 
【先行技術文献】
【特許文献】
【０００５】
【特許文献１】特開２００６−３０１８０４号公報
【発明の概要】
【発明が解決しようとする課題】
【０００６】
上述のような突入電流防止回路は、点灯開始時に駆動し点灯回路やランプを保護するものである。しかしながら、点灯中は作用していないにも係らず電力が無駄に消費されるという問題がある。
【０００７】
本発明はこうした状況に鑑みてなされたものであり、ランプが点灯中はランプが点灯開始時だけ必要であった回路への給電を停止することにより不要な電力消費を低減し、消費電力を低減した点灯装置を提供することを目的とするものである。
【課題を解決するための手段】
【０００８】
ランプに給電する点灯回路と、点灯開始を行うためのスタートアップ回路と、前記スタートアップ回路に給電する制御電源と、点灯開始されると点灯回路の状態に基づいて、電源を前記スタートアップ回路を介さずバイパス回路に切換える点灯制御回路と、前記点灯制御回路が前記電源を前記スタートアップ回路を介さず前記バイパス回路に切換えると同時に、前記制御電源への給電を停止させる給電制御回路とを備えてなることを特徴とする。
【０００９】
前記ランプを点灯中は、前記スタートアップ回路と前記バイパス回路のそれぞれの入力インピーダンスは高インピーダンス、低インピーダンスとなることを特徴とする
【００１０】
前記ランプを消灯することにより前記スタートアップ回路と前記バイパス回路のそれぞれの入力インピーダンスは低インピーダンス、高インピーダンスとなることを特徴とする。 
【発明の効果】
【００１１】
請求項１の発明は上述のように、点灯制御回路が点灯回路の状態から点灯中と判断することで給電制御回路にスタートアップ回路への給電を行う制御電源に給電を停止させ、同時にバイパス回路を介するので、ランプ点灯中にはスタートアップ回路に給電されず、消費電力を低減させることができるという効果がある。
【００１２】
請求項２の発明は、前記ランプを点灯中は、前記スタートアップ回路と前記バイパス回路のそれぞれの入力インピーダンスは高インピーダンス、低インピーダンスとすることできる。
【００１３】
請求項３の発明は、ＬＥＤ照明装置を消灯させると点灯制御回路から給電制御回路へ給電停止命令が解除され、次回点灯時には前記スタートアップ回路を介して突入電流を防ぎながら点灯を開始することができる。
【図面の簡単な説明】
【００１４】
【図１】本発明の基本構成を示すブロック回路図である。
【図２】本発明の実施形態の動作波形図である。
【図３】従来例の回路図である。
【発明を実施するための形態】
【００１５】
以下、本発明の詳細を図示の実施形態によって説明する。 
【００１６】
本発明の基本構成を図１に示す。電源Ｖｓを整流回路２で整流しスタートアップ回路３でソフトスタートさせてランプ1の点灯を開始する。また、スタートアップ回路３はソフトスタートすることで電源投入時に発生する突入電流を抑制し、点灯回路６やランプ１を保護する。スタートアップ回路３を通過した電流は点灯制御回路５のスタートアップ入力部を経てランプ１に給電されてランプ１が点灯する。
【００１７】
ランプ１が点灯すると、点灯回路６に含まれる点灯検出出力部６１から点灯中であることを示す第１点灯検出信号が点灯制御回路５の点灯検出入力部５１に入力され、点灯制御回路５に備えられた点灯判定部５２でスタートアップが完了したと判定すると、点灯検出部５３から第２点灯検出信号を、給電制御回路７の制御入力部７１に出力する。図２に示す通り、第２点灯信号が入力された給電制御回路７は、供給停止信号を制御電源８の信号入力部８１に入力し、制御電源８からスタートアップ回路３へ給電を停止させる。制御電源８からの給電を停止されたスタートアップ回路３は停止状態となる。
【００１８】
制御電源８からの給電を停止されたスタートアップ回路３は、停止状態となると同時に入力部３１は高インピーダンスになるため整流回路2の出力電流はスタートアップ回路３には流入せず、バイパス回路４に流入し点灯制御回路を介して点灯回路６に流入しランプ１を点灯させる。
【００１９】
スタートアップ回路３の電源は、整流回路２から供給され、ランプ１をソフトスタートさせ、ソフトスタートが完了すれば前述の通り、給電制御回路７からの給電制御信号により給電が停止される。スタートアップ回路３の入力部３１は図示しないが半導体スイッチで構成されているので、整流回路２から電源供給されているときは低インピーダンスであり、給電が停止されると高インピーダンスになる。
【００２０】
バイパス回路４の入力部４１は図示しないが半導体スイッチで構成されているので、点灯回路６に含まれる点灯検出出力部６１から出力されるランプ１が点灯中であることを示す第１点灯検出信号により駆動されるときバイパス回路４の入力部４１は低インピーダンスである。一方、ランプ１がソフトスタートの期間内は、点灯回路６から第１点灯検出信号が出力されないので、バイパス回路４に電源供給されないため、バイパス回路４の入力部４１は高インピーダンスである。
【００２１】
したがって、消灯することによりスタートアップ回路３とバイパス回路４のそれぞれの入力インピーダンスは低インピーダンス、高インピーダンスとなる。ランプ１が点灯する直前の時点で、スタートアップ回路３の入力部３１は低インピーダンスであり、バイパス回路４の入力部４１は高インピーダンスであるため、整流回路２の出力電流はスタートアップ回路３の入力部３１の方へ流入することになる。
【００２２】
上記構成ではランプ１の点灯状態には、スタートアップ回路３への電源供給が停止するので、従来構成に比べて消費電力を低減させることができる。
【符号の説明】
【００２３】
Ｖｓ・・・商用交流電源
１・・・ランプ
２・・・全波整流器
３・・・スタートアップ回路
４・・・バイパス回路
５・・・点灯制御回路
６・・・点灯回路
７・・・給電制御回路
８・・・制御電源
【図１】
2015158996.tif 000003
【図２】
2015158996.tif 000004
【図３】
2015158996.tif 000005